(57)【要約】【課題】パチンコ機の前枠セットなどの回動部の底面と、外枠を構成する幕板の上面との間の隙間からワイヤなどを挿入して不正行為を行うことができず、かつ、前枠セットなどの回動部の底面と幕板の上面とが接触するおそれのない外枠を実現する。【解決手段】幕板２５の上面２５ａには、案内部材３５，３６が楔形の先端を前方に向けて配置されているため、前枠セット２を閉成する際に前枠セット２の底面が幕板２５の上面２５ａに接触するおそれがない。また、上面２５ａには、前枠セット２の底面と幕板２５の上面２５ａとの間に形成される隙間を閉塞する閉塞部材２５ｃを備えるため、隙間からワイヤなどを挿入して不正行為を行うことができない。【選択図】図３
2013042894.tif 000002
【特許請求の範囲】
【請求項１】
パチンコ機をパチンコホールの所定箇所に設置するための枠状の外枠において、
両側に配置された右側板および左側板の各下端間に連結されており、板面を前面に向けて配置された幕板と、
楔形の先端を前方に向けて前記幕板の上面に配置されており、当該外枠の一方の側端を回動軸にして開放されたパチンコ機の回動部を開放前の位置に戻す際に前記回動部の底面を前記幕板の上面に案内する案内部材と、
前記案内部材により案内され、前記案内部材の上に位置する前記回動部の底面と前記幕板の上面との間に形成される隙間を閉塞する閉塞部材と、を備えることを特徴とする外枠。
【請求項２】
前記幕板の上面が前方に下り勾配であることを特徴とする請求項１に記載の外枠。
【発明の詳細な説明】
【技術分野】
【０００１】
この発明は、パチンコ機をパチンコホールの所定個所に設置するための外枠に関する。
【背景技術】
【０００２】
図５は、従来のパチンコ機１の正面図であり、図６は、図５に示すパチンコ機１を斜め前方から見た斜視図であり、図７は、図５に示すパチンコ機１を斜め後方から見た斜視図である。
従来のパチンコ機１は、パチンコ機１をパチンコホールの島設備に取付けるための外枠８を備える。外枠８は、枠状に構成されており、上部に配置された天板８ａと、底部に配置された底板８ｂと、天板８ａおよび底板８ｂの各右端間を連結する右側板８ｃと、天板８ａおよび底板８ｂの各左端間を連結する左側板８ｄと、右側板８ｃおよび左側板８ｄの各前面下端間を連結する幕板８ｅとを備える。天板８ａ、底板８ｂ、右側板８ｃ、左側板８ｄおよび幕板８ｅは、それぞれ木製で板状に形成されている。
【０００３】
外枠８の左上角であって天板８ａの左端と左側板８ｄの上端との連結部には、金属製の上蝶番１５が取付けられており、幕板８ｅの左端の上端には、金属製の下蝶番１７が取付けられている。前枠セット２（回動部）の左端の上端はヒンジ軸１６を介して上蝶番１５に軸支されており、左端の下端は図示しないヒンジ軸を介して下蝶番１７に軸支されている。つまり、前枠セット２は、左端を回動軸にして外枠８に回動可能に軸支されている。前枠セット２には遊技盤５が設けられており、遊技盤５は、前枠セット２の開口部に設けられたガラス３によって覆われている。遊技盤５には、図示しない入賞口、始動口、普通電動役物および変動入賞装置などが設けられており、盤面には遊技球の流下経路を変化させる多数の遊技釘が打ち込まれている。
【０００４】
前枠セット２の右下には、遊技球を遊技盤５へ発射する発射装置を操作するための発射ハンドル４が設けられており、発射ハンドル４には、発射装置の発射強度を調節するための発射レバー４ａが回動可能に設けられている。ガラス３の下方の前枠セット２には、排出口６ｂから排出される賞球および貸球を貯留する上受け皿６が設けられている。上受け皿６には、上受け皿６に貯留されている遊技球を下受け皿７へ排出させるために操作する球抜きレバー６ａと、貸球の払出しを行わせるために操作する貸出ボタン６ｃと、パチンコ機１に併設されたプリペイド記録媒体読取装置（図示せず）に挿入されているプリペイド記録媒体を返却させるために操作する返却ボタン６ｄと、プリペイド記録媒体に記録されている残り度数（残高）を表示する度数表示部６ｅとが設けられている。
【０００５】
上受け皿６の下方には、上受け皿６から流下した遊技球を貯留する下受け皿７が設けられている。下受け皿７の底部には遊技球を排出するための球抜き孔７ｂが開閉可能に形成されており、下受け皿７の前端には、球抜き孔７ｂを開閉させる球抜きレバー７ａがスライド可能に設けられている。また、前枠セット２には、払出すべき遊技球が無いことを報知する球切れＬＥＤ１３と、遊技球の払出しの異常を報知する払出異常ＬＥＤ１４と、効果音を発生する右スピーカ１０と、左スピーカ１１と、下スピーカ１２とが設けられている。
【０００６】
図９に示すように、パチンコ機１の裏面には裏セット４０が設けられている。裏セット４０の上部には、パチンコ機１が設置された島設備から供給される遊技球を貯留するための球タンク４１が設けられている。球タンク４１の下方にはカバー４２が設けられており、そのカバー４２の内部には、主制御基板が収容された主制御基板ケース（図示せず）などが設けられている。主制御基板には、入賞の検出、大当りかハズレかの判定などを行うマイクロコンピュータが搭載されている。
【０００７】
カバー４２の右方には、賞球を払出す賞球払出装置４５が設けられている。カバー４２の下方には、発射装置を制御する発射制御基板が収容された発射制御基板ケース（図示せず）４３と、賞球払出装置４５を制御する払出制御基板が収容された払出制御基板ケース４４とが設けられている。また、裏セット４０には、パチンコ機１にＡＣ２４Ｖを供給するための電源プラグ４６が接続されている。前枠セット２および裏セット４０は、外枠８に支持されている。
【先行技術文献】
【特許文献】
【０００８】
【特許文献１】特開２００８−０４３６３９号公報（第３２〜３４段落、図１）
【発明の概要】
【発明が解決しようとする課題】
【０００９】
図８（ａ）は図５に示すパチンコ機１の前枠セット２と幕板８ｅとの間に形成される隙間Ｓの部分説明図であり、（ｂ）は図５に示すパチンコ機１の前枠セット２の底面が幕板８ｅの上面に接触した状態を示す部分説明図である。
従来のパチンコ機１は、図８（ａ）に示すように、前枠セット２の底面と幕板８ｅの上面との間には下蝶番１７が介在されているため、前枠セット２の底面と幕板８ｅの上面との間に隙間Ｓが形成されるので、その隙間Ｓからワイヤーを挿入して強制的に賞球を払出させる不正行為が起きるおそれがある。たとえば、大当りの発生時に開閉作動する変動入賞装置の開閉部材を、挿入したワイヤーによって開放させ、大入賞口を強制的に開口させるという不正行為が起きるおそれがある。
【００１０】
さらに、従来のパチンコ機１は、図６および図７に示したように、左端を回動軸にして外枠８に軸支される構造であるため、右端が下がり易い。このため、図８（ｂ）において符号Ｃによって示すように、前枠セット２の底面と幕板８ｅの上面とが接触し、前枠セット２を滑らかに開閉することができなくなるおそれがある。特に、最近のパチンコ機は、役物を動かす装置が複雑になり、前枠セットの重量が増加する傾向にあるため、前枠セットが下がり易いので、上記の問題が発生し易い。
【００１１】
そこで、この発明は、上記の諸問題を解決するために創作されたものであり、パチンコ機の前枠セットなどの回動部の底面と、外枠を構成する幕板の上面との間の隙間からワイヤなどを挿入して不正行為を行うことができず、かつ、前枠セットなどの回動部の底面と幕板の上面とが接触するおそれのない外枠を実現することを目的とする。
【課題を解決するための手段】
【００１２】
上記の目的を達成するため、この出願の請求項１に係る発明では、パチンコ機（１）をパチンコホールの所定個所に設置するための枠状の外枠（２０）において、両側に配置された右側板（２１）および左側板（２２）の各下端間に連結されており、板面を前面に向けて配置された幕板（２５）と、楔形の先端を前方に向けて前記幕板の上面（２５ａ）に配置されており、当該外枠の一方の側端を回動軸にして開放されたパチンコ機の回動部（２）を開放前の位置に戻す際に前記回動部の底面を前記幕板の上面に案内する案内部材（３５，３６）と、前記案内部材により案内され、前記案内部材の上に位置する前記回動部の底面と前記幕板の上面との間に形成される隙間（Ｓ）を閉塞する閉塞部材（２５ｃ）と、を備えるという技術的手段を用いる。
【００１３】
請求項２に記載の発明では、請求項１に記載の外枠（２０）において、前記幕板の上面が前方に下り勾配である
という技術的手段を用いる。
【００１４】
なお、上記各括弧内の符号は、後述する実施形態に記載の具体的手段との対応関係を示すものである。
【発明の効果】
【００１５】
（請求項１に係る発明の効果）
請求項１に係る発明の外枠は、楔形の先端を前方に向けて幕板の上面に配置されており、当該外枠の一方の側端を回動軸にして開放されたパチンコ機の回動部を開放前の位置に戻す際に回動部の底面を幕板の上面に案内する案内部材を備える。
したがって、請求項１に係る発明を実施すれば、パチンコ機の回動部を閉成する際に回動部の底面と幕板の上面とが接触するおそれがないため、回動部を滑らかに開閉することができる。
【００１６】
しかも、請求項１に係る発明の外枠は、上記の案内部材により案内され、案内部材の上に位置するパチンコ機の回動部の底面と幕板の上面との間に形成される隙間を閉塞する閉塞部材を備える。
したがって、請求項１に係る発明を実施すれば、パチンコ機の回動部の底面と、外枠を構成する幕板の上面との間からワイヤなどを挿入して不正行為を行うことができない。
【００１７】
（請求項２に係る発明の効果）
請求項２に係る発明の外枠は、幕板の上面が前方に下り勾配であるため、幕板の上面に遊技球が乗った状態になることがない。
したがって、請求項２に係る発明を実施すれば、パチンコ機の回動部を開閉する際に、幕板の上面に乗った遊技球が、回動部の底面と幕板の上面との間に挟み込まれ、回動部が開閉することができなくなってしまうおそれがない。
【図面の簡単な説明】
【００１８】
【図１】この発明の実施形態に係る外枠２０の正面図である。
【図２】図１に示す外枠２０の下部の斜視図である。
【図３】図２に示す外枠２０のＡ−Ａ矢視断面図の一部を拡大して示す説明図である。
【図４】図２に示す外枠２０を構成する幕板２５の上面２５ａに乗った遊技球Ｐが前方へ転がる様子を示す説明図である。
【図５】従来のパチンコ機１の正面図である。
【図６】図５に示すパチンコ機１を斜め前方から見た斜視図である。
【図７】図５に示すパチンコ機１を斜め後方から見た斜視図である。
【図８】（ａ）は図５に示すパチンコ機１の前枠セット２と幕板８ｅとの間に形成される隙間Ｓの部分説明図であり、（ｂ）は図５に示すパチンコ機１の前枠セット２の底面が幕板８ｅの上面に接触した状態を示す部分説明図である。
【発明を実施するための形態】
【００１９】
［第１実施形態］
この発明の実施形態に係る外枠について図を参照して説明する。図１は、この実施形態に係る外枠２０の正面図である。図２は図１に示す外枠２０の下部の斜視図である。図３は図２に示す外枠２０のＡ−Ａ矢視断面図の一部を拡大して示す説明図である。図４は図２に示す外枠２０を構成する幕板２５の上面２５ａに乗った遊技球Ｐが前方へ転がる様子を示す説明図である。なお、この実施形態に係る外枠に取付けるパチンコ機は、前述した従来のパチンコ機１と同じであるため、同じ符号を用いる。
【００２０】
図１に示すように、この実施形態に係る外枠２０は枠状に構成されており、上部に配置された天板２３と、底部に配置された底板２４と、天板２３および底板２４の各右端間を連結する右側板２１と、天板２３および底板２４の各左端間を連結する左側板２２と、右側板２１および左側板２２の各前面の下端間を連結する幕板２５とを備える。さらに、外枠２０は、図３に示すように、幕板２５の裏面に配置された幕板３７を備える。幕板２５，３７はそれぞれ板状に形成されており、幕板２５は板面を前方に向けて配置されている。幕板３７の前面の板面と、幕板２５の裏面の板面とが密着している。天板２３および底板２４は、それぞれ板状に形成されている。
【００２１】
幕板２５の上面２５ａには、外枠２０の左端を回動軸にして開放された前枠セット２を閉成する際に、前枠セット２の底面を幕板２５の上に案内するための案内部材（スベリとも呼ばれる）３５，３６が間隔を置いて設けられている。案内部材３５，３６は、それぞれ楔形の先端を前方に向けて幕板２５の上面２５ａに設けられている。案内部材３５の先端には、前方に下り勾配の傾斜面３５ａが形成されている。傾斜面３５ａは、前枠セット２の底面を滑らせて幕板２５の上に案内するための傾斜面である。案内部材３６の先端にも同様の傾斜面が形成されている。
このように、幕板２５の上面２５ａには案内部材３５，３６が設けられているため、パチンコ機１の前枠セット２を閉成する際に前枠セット２の底面と幕板２５の上面２５ａとが接触するおそれがないため、前枠セット２を滑らかに開閉することができる。
【００２２】
幕板２５の上面２５ａの後端には、閉塞部材２５ｃが上面２５ａの右端から左端に亘って形成されている。閉塞部材２５ｃは上面２５ａから立設した壁状に形成されている。閉塞部材２５ｃの後端からは、平坦部２５ｄが後方に向けて形成されており、その平坦部２５ｄは幕板３７の上面と当接している。閉塞部材２５ｃは、案内部材３５，３６の上に乗った前枠セット２と幕板２５の上面２５ａとの間に形成される隙間を閉塞する。
このように、案内部材３５，３６の上に乗った前枠セット２と幕板２５の上面２５ａとの間に形成される隙間を閉塞する閉塞部材２５ｃが上面２５ａに設けられているため、前枠セット２と幕板２５の上面２５ａとの間に形成される隙間からワイヤーなどを挿入する不正行為を防止することができる。
【００２３】
また、閉塞部材２５ｃの上端からは鍔状の返し２５ｂが前方に向けて形成されている。このように返し２５ｂが形成されているため、前枠セット２の底面と閉塞部材２５ｃの上端との間からワイヤーなどを挿入しようとしても、その挿入を阻むことができるため、不正行為の防止に万全を期すことができる。
【００２４】
ところで、遊技盤５において球詰まりが生じた場合は、パチンコホールのスタッフが前枠セット２を開放し、詰まった遊技球を取り除くが、その際に取り除いた遊技球が幕板２５の上面２５ａに落下し、その上面２５ａに乗った状態になることがある。そして、その状態を知らないで前枠セット２を閉成すると、前枠セット２の底面と幕板２５の上面２５ａとの間に遊技球を挟み込み、前枠セット２を開閉することが困難になることがある。
【００２５】
しかし、この実施形態の外枠２０を構成する幕板２５の上面２５ａは、前方に下り勾配に形成されているため、図４に示すように、上面２５ａに遊技球Ｐが乗った場合でも、その遊技球Ｐを上面２５ａから前方（矢印Ｆ１で示す方向）へ転がして落下させることができる。
したがって、前枠セット２を矢印Ｆ２で示す方向に閉成する際に、前枠セット２の底面と幕板２５の上面２５ａとの間に遊技球Ｐを挾み込み、前枠セット２を開閉することができなくなってしまうおそれがない。
【００２６】
この実施形態では、幕板２５、閉塞部材２５ｃおよび返し２５ｂは合成樹脂により一体形成されている。天板２３、底板２４および幕板３７はそれぞれ木製であり、右側板２１および左側板２２はアルミニウムまたは合成樹脂により形成されている。案内部材３５，３６は、金属または合成樹脂により形成されている。
【００２７】
〈他の実施形態〉
閉塞部材２５ｃおよび返し２５ｂを幕板２５とは別体にすることもできる。また、幕板３７の部分を幕板２５と一体化したものを幕板として用いることもできる。さらに、案内部材３５，３６を合成樹脂により形成する場合は、案内部材３５，３６を幕板２５と一体形成することもできる。
【符号の説明】
【００２８】
１・・パチンコ機、２・・前枠セット（回動部）、５・・遊技盤、２０・・外枠、
２１・・右側板、２２・・左側板、２３・・天板、２４・・底板、
２５，３７・・幕板、２５ａ・・上面、２５ｂ・・返し、２５ｃ・・閉塞部材、
３５，３６・・案内部材、Ｓ・・隙間。
【図１】
2013042894.tif 000003
【図２】
2013042894.tif 000004
【図３】
2013042894.tif 000005
【図４】
2013042894.tif 000006
【図５】
2013042894.tif 000007
【図６】
2013042894.tif 000008
【図７】
2013042894.tif 000009
【図８】
2013042894.tif 000010